(57)【要約】【課題】装置に近付いた顧客に投影画像を視認させるとともに、顧客に予め形成された表示物によって情報を付与することができる画像表示装置を提供する。【解決手段】投影画像を表示する画像表示装置１において、一方の面で結像した投影画像３０を他方の面から視認できる透過型のスクリーンを備え、該画像表示装置１を水平な床面に正立させた際に、該スクリーンが設けられた投影領域が床面に対して傾斜した状態となる表示板３と、表示板３の下方に配置され、スクリーンに画像を投影するプロジェクタと、投影される画像の画像データを記憶する記憶装置と、プロジェクタから出力される投影ビームを、スクリーンに導いて結像させる光学機構と、投影画像が視認可能な方向から該画像表示装置を見た際に、図柄又は文字が形成された表示物を視認可能となるように表示する固定表示部とを備えた。【選択図】図５
2009116239.tif 000002
【特許請求の範囲】
【請求項１】
投影画像を表示する画像表示装置において、
一方の面で結像した投影画像を他方の面から視認できる透過型のスクリーンを備え、該画像表示装置を水平な床面に正立させた際に、該スクリーンが設けられた投影領域が前記床面に対して傾斜した状態となる表示板と、
前記表示板の下方に配置され、前記スクリーンに画像を投影するプロジェクタと、
投影される画像の画像データを記憶する記憶装置と、
前記プロジェクタから出力される投影ビームを、前記スクリーンに導いて結像させる光学機構と、
前記投影画像が視認可能な方向から該画像表示装置を見た際に、図柄又は文字が形成された表示物を視認可能となるように表示する固定表示部と
を備えたことを特徴とする画像表示装置。
【請求項２】
請求項１に記載の画像表示装置において、
前記表示板のうち、前記投影画像を表示しない非投影領域に前記固定表示部を設けたことを特徴とする画像表示装置。
【請求項３】
請求項２に記載の画像表示装置において、
前記表示板は、上部に前記投影領域を備え、下部に前記固定表示部を備えるとともに、前記他方の面から該画像表示装置を見た際に、下端から上端に向かって、装置の後方に反るように湾曲していることを特徴とする画像表示装置。
【請求項４】
請求項２又は３に記載の画像表示装置において、
前記表示板を被覆する透明なカバーをさらに備え、
前記表示板と前記カバーとの間に、前記表示物を固定することを特徴とする画像表示装置。
【請求項５】
請求項１に記載の画像表示装置において、
前記表示板の各側端と、前記固定表示部の各側端とを支持するフレームをさらに備えたことを特徴とする画像表示装置。
【請求項６】
請求項５に記載の画像表示装置において、
前記フレームは、該画像表示装置を水平な床面に正立させたとき前記表示板を傾斜させた状態で支持する傾斜部と、水平な床面に対し垂直に正立し、前記固定表示部を支持する垂直部とを有することを特徴とする画像表示装置。
【発明の詳細な説明】
【技術分野】
【０００１】
本発明は、プロジェクタを使用した独立設置型の画像表示装置に関する。
【背景技術】
【０００２】
商品の宣伝等の目的で、様々な画像を表示する液晶ディスプレイ等の画像表示装置が店舗等で用いられている。このような画像表示装置の一つとして、画像を表示する表示板を、通行人の目線よりも低い位置に支持し、店舗等への集客効果を高める装置が既に提案されている（特許文献１参照）。この画像表示装置は、床面に対し一定の傾きを持つように支持されているので、通行人が遠くから表示板を眺めてそのまま通り過ぎていくことがないように、近づいてみなければよく見えない設計がされている。また、画像表示装置は、プロジェクタと、広告主が用意した画像データを記憶する記憶部とを一体に備えているので、簡単に設置できるとともに、所望の画像を簡単な操作で表示することができる。
【特許文献１】特許第３８３８２４１号
【発明の開示】
【発明が解決しようとする課題】
【０００３】
この画像表示装置は、上記したような効果を有するが、以下のような要望もあった。即ち、動きのある投影画像の他に、ポスター等の印刷物や看板を装置に表示し、画像表示装置に近付いた全ての顧客に対し、キャンペーン情報や店舗名等を通知したい要望があった。また、上記画像表示装置は、シンプルな外観であり、優れた美観を有するが、表示板を支持する支持フレームの間から、プロジェクタを収容した収容部が見えてしまう。このため、美観のさらなる向上が求められていた。
【０００４】
本発明は、上記問題点に鑑みてなされたものであり、その目的は、装置に近付いた顧客に投影画像を視認させるとともに、その顧客に予め形成された表示物によって情報を付与することができる画像表示装置を提供することにある。
【０００５】
また、本発明の別の目的は、美観を向上することができる画像表示装置を提供することにある。
【課題を解決するための手段】
【０００６】
本発明は、投影画像を表示する画像表示装置において、一方の面で結像した投影画像を他方の面から視認できる透過型のスクリーンを備え、該画像表示装置を水平な床面に正立させた際に、該スクリーンが設けられた投影領域が前記床面に対して傾斜した状態となる表示板と、前記表示板の下方に配置され、前記スクリーンに画像を投影するプロジェクタと、投影される画像の画像データを記憶する記憶装置と、前記プロジェクタから出力される投影ビームを、前記スクリーンに導いて結像させる光学機構と、前記投影画像が視認可能な方向から該画像表示装置を見た際に、図柄又は文字が形成された表示物を視認可能となるように表示する固定表示部とを備えた。
【０００７】
この構成によれば、画像表示面に表示された画像を視認した際に、表示物も視認することができる。このため、動きのある投影画像を表示して、通行人の関心をもたせ、表示物によって投影画像に注意を向けた通行人に対し、付与したい情報を提供できる。
【０００８】
この画像表示装置において、前記表示板のうち、前記投影画像を表示しない非投影領域に前記固定表示部を設けた。
この構成によれば、表示板のうち、非投影領域に表示物を固定するので、部品点数を減
らし、画像表示装置をシンプルな外観にすることができる。
【０００９】
この画像表示装置において、前記表示板は、上部に前記投影領域を備え、下部に前記固定表示部を備えるとともに、前記他方の面から該画像表示装置を見た際に、下端から上端に向かって、装置の後方に反るように湾曲している。
【００１０】
この構成によれば、表示板が画像表示装置の後方に反るように湾曲することで、画像投影領域を通行人にとって見やすい角度に傾斜させることができる。また、表示板が湾曲することで、美観を向上させることができる。
【００１１】
この画像表示装置において、前記表示板を被覆する透明なカバーをさらに備え、前記表示板と前記カバーとの間に、前記表示物を固定する。
この構成によれば、透明なカバーによって表示物を固定するので、表示物を固定する固定具等が不要となり、美観を向上することができる。また、表示物の固定位置からのずれや、破損を防止することができる。
【００１２】
この画像表示装置において、前記表示板の各側端と、前記固定表示部の各側端とを支持するフレームをさらに備えた。
この構成によれば、表示板と、固定表示部とを支持するフレームをさらに備えたため、十分な強度を確保することができる。
【００１３】
この画像表示装置において、前記表示板の各側端と、前記固定表示部の各側端とを支持するフレームをさらに備えた。
この構成によれば、フレームの垂直部で固定表示部を支持するので、画像表示装置の奥行きスペースを縮小することができる。
【発明を実施するための最良の形態】
【００１４】
（第１実施形態）
以下、本発明の画像表示装置を具体化した一実施形態を図１〜図６に従って説明する。画像表示装置は、独立設置型の装置であって、集客効果及び宣伝効果を目的として店頭等に設置したり、劇場・会議場、美術館・博物館、展示場施設、結婚式場等の入口に配置するのに適している。図１は、本実施形態の画像表示装置１の正面右からみた斜視図である。
【００１５】
画像表示装置１は、１対のフレーム２を備えている。各フレーム２は、アルミニウム等の金属又はプラスチックから形成されている。また、フレーム２は、長手方向の中心から偏倚した位置で屈曲され、屈曲位置から一方の先端までの長い部分が湾曲部２ａ、屈曲位置から他方の先端までの短い部分が直線部２ｂとなっている。
【００１６】
湾曲部２ａは、滑らかに湾曲するように形成されている。また、図２に示すように、各直線部２ｂの下側には、脚部６がそれぞれ設けられている。画像表示装置１は、直線部２ｂに設けられた脚部６を床面１００に設置し、直線部２ｂを床面１００に並行になるように配置すると、正立した状態となる。この正立した姿勢のとき、湾曲部２ａは、床面１００に対して傾斜し、画像表示装置１の正面からみて後方（Ｙ方向）に反る姿勢となる。また、湾曲部２ａは、屈曲位置に近い部分は、僅かな角度だけ傾斜しているため、床面１００に対する角度が９０度近いが、先端に向かうにつれて床面１００に対する傾斜角θが小さくなる。
【００１７】
各フレーム２の間には、表示板３が固定されている。表示板３は、無色透明の合成樹脂材から形成されている。また、表示板３は、フレーム２の形状に合わせ、正面から画像表
示装置１を見た際に、下端から上端に向かって、装置の後方に反るように湾曲している。図２に示すように、表示板３の裏面３ｂには、裏面で結像した画像を、正面から視認できる透過型のスクリーン５が貼着されている。スクリーン５は、公知の構成の半透明のフィルムである。また、スクリーン５は、長方形に形成され、表示板３の上部に設けられている。表示板３のうち、スクリーン５が貼着された領域の中心点における接線Ｌと、直線部２ｂとが成す傾斜角θは、９０度未満であって、より好ましくは１５度以上７５度以下になっている。このように表示板３を傾斜させることで、通行人が無理な姿勢をとらずに表示板３を見ることができる。尚、図２では便宜上、スクリーン５の厚さを大きく図示しているが、実際のスクリーン５の厚みは数ミリである。
【００１８】
また、直線部２ｂを床面１００に設置し、画像表示装置１を正立させたとき、画像表示装置１の高さは、成人の平均身長の通行人が、表示板３を自然に見ることができる高さが好ましい。具体的には、女性の平均身長を考慮すると、１２０センチメートル〜１４０センチメートルが好ましい。
【００１９】
図３は、画像表示装置１の正面図である。表示板３の上側には、カバー４がヒンジ機構によって固定されている。カバー４は、無色透明の合成樹脂材から形成されている。表示板３のうち、スクリーン５が貼着された部分は、画像を投影する投影領域７となっており、表示板３がカバー４に覆われた状態でも、透明なカバー４を介して投影領域７を視認することができる。
【００２０】
カバー４の下端には、ヒンジ機構を構成する１対のヒンジ部８が設けられており、該ヒンジ部８は、表示板３の相対向する位置に設けられた固定部（図示略）にそれぞれ所定角度範囲だけ回転可能に支持されている。その結果、カバー４は、図２に示す表示板３の表面３ａに接した状態の閉位置と、図４に示す表面３ａに対して所定角度だけ離間した最大回転位置との間まで、カバー４の下端を中心に回転可能となる。また、カバー４は、ヒンジ機構に設けられたバネ（図示略）により、上記閉位置に付勢されている。
【００２１】
表示板３のうち、投影領域以外の非投影領域は、固定表示部としての印刷物収容部９（図３参照）になっている。印刷物収容部９は、カバー４が開位置にある際に、図柄又は文字が印刷された表示物としてのポスター等を挟み込むことができる。そして、カバー４を上記閉位置まで移動させると、図５に示すように、表示板３とカバー４との間に挟まれたポスター１０１が、正面から視認可能な状態となる。
【００２２】
また、図２に示すように、フレーム２の直線部２ｂの間には、架台１０が固定されており、架台１０の上には、投影ユニット１１が設置されている。投影ユニット１１は、上記スクリーン５に、表示板３の裏面３ｂ側から投影ビーム５０を照射して、スクリーン５の裏面に画像を結像させる投影装置である。この投影ユニット１１は、ケース１２と、プロジェクタ１３と、光学機構１４と、図６に示す制御装置１５を有している。
【００２３】
プロジェクタ１３は、公知の構成の装置である。光学機構１４は、反射鏡１４ａと、軸受け及び台（図示略）とからなる。反射鏡１４ａは、台に固定され、軸受けによって角度調整される。プロジェクタ１３から出射した投影ビーム５０は、反射鏡１４ａで反射され、ケース１２に形成された投影窓（図示略）を介して、スクリーン５に投影される。スクリーン５の一方の面としての裏面では、投影ビーム５０が結像することにより、左右反転された画像が表示される。その結果、図５に示すように、他方の面としてのスクリーン５の正面から投影領域７を見ると、カバー４を介して投影画像３０を視認することができる。このとき、表示板３及びカバー４が無色透明であるため、あたかも投影画像３０が宙に浮いているような感覚を見る者に与えることができる。また、投影領域７は、床面１００に対して鋭角となる角度で傾斜しているので、画像表示装置１の近くを通りがかった通行
人が、投影画像３０を見やすい角度で表示することができる。
【００２４】
図６に示すように、制御装置１５は、ＣＰＵ等からなる制御部１６、ドライバ１７、画像処理部１８、記憶装置としての画像記憶部１９及びコネクタ２０を備えている。制御部１６は、入力した画像データを画像記憶部１９に記憶する等、主制御を司る。ドライバ１７は、プロジェクタ１３の液晶パネルを制御するドライバであって、画像処理部１８は、画像データの左右反転や、台形補正処理等の画像処理を行うプロセッサである。画像記憶部１９は、コネクタ２０を介して入力された画像データを一時保存する。コネクタ２０は、半導体メモリを備えたカード等の記憶媒体、或いは外部端末と接続されたケーブル等を接続するコネクタである。記憶媒体又はケーブルから画像データを入力すると、制御部１６は、画像記憶部１９に画像データを一時保存する。この画像データは、動画データでもよく、静止画データでもよい。静止画データの場合、各静止画を所定時間間隔で順番に表示する。
【００２５】
コネクタ２０を介して画像データを入力し、図示しない操作スイッチを操作すると、プロジェクタ１３から画像データに基づく投影ビーム５０が照射される。その結果、スクリーン５に投影画像３０が結像される。このように、フレーム２の間に表示板３を挟むことで、各フレーム２を連結して固定する横棒等が不要となり、シンプルな外観にすることができる。また、表示板３全体が後方に反るように湾曲しているので、その上部に設けられた投影領域７に投影画像３０を通行人に視認しやすい状態で表示することができる。
【００２６】
また、画像表示装置１を正面からみたとき、表示板３及びカバー４とポスター１０１とによって画像表示装置１の後方が見えないように遮蔽されているため、投影ユニット１１が見えず、美観を損なわない。さらには、正面から不測の侵入物が侵入しないため、投影ビーム５０が遮られない。
【００２７】
スクリーンに表示された投影画像３０は、時間とともに変化するため、通行人の興味をひくことができる。また、画像表示装置１に近付いた通行人は、投影画像３０の下方に、印刷物収容部９に固定されたキャンペーン情報等のポスター１０１を視認する。このため、投影画像３０に興味をもって画像表示装置１に接近した通行人に対し、通知する必要性が高い情報を常に表示することができる。
【００２８】
第１実施形態によれば、以下のような効果を得ることができる。
（１）第１実施形態では、画像表示装置１は、一方の面で結像した投影画像３０を他方の面から視認できる透過型のスクリーン５を備え、該画像表示装置１を水平な床面１００に正立させた際に、該スクリーン５が設けられた投影領域７が床面１００に対して傾斜した状態となる表示板３を備えた。また、表示板３の下方に配置され、スクリーン５に画像を投影するプロジェクタ１３と、投影される画像の画像データを記憶し、画像データをプロジェクタ１３に出力する制御装置１５とを備えた。また、プロジェクタ１３から出力される投影ビーム５０を、スクリーン５に導いて結像させる光学機構１４とを備えた。さらに、表示板３及びカバー４は、投影画像３０が視認可能な方向から該画像表示装置１を見た際に、図柄又は文字が形成されたポスター１０１等を視認可能となるように表示するようにした。このため、動きのある投影画像３０を表示することにより、通行人に興味を持たせることができる。また、近付いた通行人に対し、ポスター１０１等によって、キャンペーン情報等の通行人に付与したい情報を提供できる。
【００２９】
（２）第１実施形態では、表示板３は、投影領域７以外の印刷物収容部９に、ポスター１０１等の印刷物を固定するようにした。即ち、投影画像３０を表示する表示板３と、印刷物を表示する表示部とを別設することなく、１枚の表示板３で投影画像３０及び印刷物を表示するため、部品点数を減らし、画像表示装置１をシンプルで高級感のある外観にす
ることができる。また、フレーム２とほぼ同じ高さの表示板３を固定することで、投影ユニット１１等の装置後方が正面から見えなくなるため、美観を損なわないようにすることができる。また、正面からの不測の侵入物により投影ビーム５０が遮られることを防止できる。
【００３０】
（３）第１実施形態では、投影領域７に投影された画像を見る方向から画像表示装置１を見た際に、フレーム２、表示板３及びカバー４を、画像表示装置１の後方に向かって反るように湾曲させて形成した。このため、表示板３の投影領域７を、近付いた通行人にとって見やすい角度に傾斜させることができる。また、フレーム２、表示板３及びカバー４が滑らかに湾曲することで、高級感のある外観とし、美観を向上させることができる。
【００３１】
（４）第１実施形態では、透明なカバー４を、表示板３に接した状態の閉位置と、表示板３から離間した状態の開位置との間で回転可能に表示板３に固定するようにした。そして、表示板３とカバー４との間でポスター１０１を挟持するようにした。このため、ポスター１０１を表示板３に対し固定する固定具等が不要となり、美観を向上することができる。また、ポスター１０１の固定位置からのずれや、破損を防止することができる。
【００３２】
（第２実施形態）
次に、本発明を具体化した第２の実施形態を図７〜図１０に従って説明する。尚、第２の実施形態は、第１実施形態のフレーム２、表示板３を変更したのみの構成であるため、同様の部分についてはその詳細な説明を省略する。
【００３３】
図７は、本実施形態の画像表示装置１を正面右からみた斜視図である。画像表示装置１は、１対のフレーム４１を備えている。フレーム４１は、２箇所で屈曲され、一方の先端から第１の屈曲位置までが傾斜部４１ａ、第１の屈曲位置から第２の屈曲位置までが垂直部４１ｂ、第２の屈曲位置から他方の先端までが水平部４１ｃとなっている。
【００３４】
図８に示すように、各水平部４１ｃには、第１実施形態と同様に各脚部６が２箇所にそれぞれ取り付けられている。脚部６を床面１００に設置すると、水平部４１ｃは、床面１００（Ｙ方向）に対してほぼ平行となる。各フレーム４１の水平部４１ｃの間には、第１実施形態と同様に架台１０が固定されている。架台１０の上には、投影ユニット１１が設置されている。
【００３５】
垂直部４１ｂは、水平部４１ｃに対して直角となるように形成されている。脚部６を床面１００に設置すると、垂直部４１ｂは、Ｚ方向と平行な状態となり、床面１００に対して垂直な状態となる。
【００３６】
各フレーム４１の垂直部４１ｂの間には、印刷物を視認可能に固定するための印刷物収容部９が設けられている。この印刷物収容部９は、支持板４３及びカバー４４を有している。支持板４３は、４隅に図示しない貫挿孔が形成されている。図８に示すように、これらの各貫挿孔と、各垂直部４１ｂの裏側に形成された各孔（図示略）とに、ボルト４６ａ及びナット４６ｂを締結することにより、支持板４３の各側端がフレーム２に支持される。尚、支持板４３は、フレーム４１に対して固定可能であれば、どのような材質を用いても良い。
【００３７】
また、図７に示すように、支持板４３の表面４３ｂには、カバー４４が固定されている。カバー４４は、無色透明の合成樹脂材からなる。図９に示すように、カバー４４の４隅には、カバー４４を支持板４３に対して固定するための貫挿する貫挿孔４４ａが形成されている。また、支持板４３のうち、カバー４４の貫挿孔４４ａに相対向する位置には、各孔４３ａがそれぞれ形成されている。
【００３８】
支持板４３に印刷物を固定する際には、図９に示すようにカバー４４を支持板４３から取り外した状態で、支持板４３とカバー４４との間に、ポスター１０１等の印刷物を挟む。さらに、カバー４４の貫挿孔４４ａ及び支持板４３の孔４３ａにボルト４７ａを貫挿し、図８に示すように支持板４３の裏面４３ｃ側からナット４７ｂを締結して、支持板４３に対してカバー４４を固定する。これにより、カバー４４を介してポスター１０１を正面側から見ることができる。
【００３９】
また、フレーム４１の間に支持板４３が固定されているので、各フレーム４１を連結する横棒等が不要となり、部品点数を減らし、シンプルな外観にすることができる。また、正面から画像表示装置１を見た際に、支持板４３により投影ユニット１１等の装置後方が見えないため、美観が損なわれない。また、正面から不測の侵入物が侵入し、投影ビーム５０を遮ることがない。
【００４０】
傾斜部４１ａは、図８に示すように、水平部４１ｃに対する傾斜角θが、鋭角となるように屈曲形成されている。この傾斜角θは、１５度以上７５度以下の範囲であると、画像表示装置１の前に立つ人にとって見やすい角度となる。各フレーム４１の傾斜部４１ａは、表示板４２の各側端をそれぞれ固定している。表示板４２は、無色透明の合成樹脂材から形成されている。表示板４２の裏面４２ｂには、第１実施形態と同様に長方形状のスクリーン５が貼着されている。投影ユニット１１から投影ビーム５０が出力されると、スクリーン５に左右反転された画像が結像する。その結果、図１０に示すように、正面側から表示板４２を視認すると、投影画像３０を見ることができる。
【００４１】
スクリーンに表示された投影画像３０は、時間とともに変化するため、通行人の興味をひくことができる。また、その投影画像３０の下には、キャンペーン情報等の詳細が記載されたポスター１０１が配置されているので、投影画像３０に興味をもって画像表示装置１に接近した通行人に対し、通知したい情報を常に表示することができる。
【００４２】
従って、第２実施形態によれば、第１の実施形態に記載の効果に加えて以下の効果を得ることができる。
（５）第２実施形態では、画像表示装置１は、表示板３の各側端と、支持板４３の各側端とを支持するフレーム２を備えた。このため、表示板４２及び支持板４３を、フレーム２に対して強固に固定できる。
【００４３】
（６）第２実施形態では、フレーム２は、該画像表示装置１を水平な床面１００に正立させたとき表示板３を傾斜させた状態で指示する傾斜部４１ａと、水平な床面１００に対し垂直に正立し、表示板３とともに、支持板４３を支持する垂直部４１ｂとを有する。即ち、フレーム２のうち、ポスター１０１を支持する領域を、垂直にすることで、画像表示装置１の奥行き方向（Ｙ方向）の長さを縮小することができる。また、表示板３を、傾斜部４１ａによって支持することで、画像表示装置１の前に立つ人にとって、投影画像３０を見やすくすることができる。
【００４４】
尚、本実施形態は以下のように変更してもよい。
・第１実施形態に記載の画像表示装置１は、表示板３自体の強度を確保できる場合には、フレーム２を省略してもよい。即ち、図１１に示すように、表示板６０は、湾曲部６１と、床面に接する水平部６２とを有し、水平部６２が床面に設置されることにより正立する。また、表示板６０には、カバー６３が開閉可能に設けられている。このようにすると、画像表示装置１を、よりシンプルな外観にすることができる。
【００４５】
・第１実施形態に記載では、フレーム２を湾曲させるようにしたが、図１２に示すよう
に、直線状のフレーム６５にしてもよい。フレーム６５は、傾斜部６５ａと、直線部６５ｂとからなる。また、表示板６６及びカバー６７は、フレーム６５に合わせて平面とする。このようにしても、画像表示装置１をシンプルな外観とし、美観を向上することができる。
【００４６】
・第１実施形態の画像表示装置１において、カバー４は、表示板３と略同じ大きさとしたが、その高さ（長さ）は、印刷物収容部９を被覆できる大きさであればよい。
・上記実施形態では、上記ヒンジ機構をカバー４の下端に設けたが、上端に設けるようにしてもよい。また、ヒンジ機構のみでは、カバー４を表示板３に接した状態（閉位置）で固定することが困難である場合には、カバー４を表示板３に固定する固定具を設けるようにしてもよい。
【００４７】
・上記実施形態では、画像表示装置１に、ポスター１０１等の表示物を固定するようにしたが、図柄又は文字が形成されたプラスチック製の看板等を設けるようにしてもよい。例えば、第１実施形態では、カバー４を省略し、プラスチック等からなる看板を表示板３に固定してもよい。また、第２実施形態では、図１３に示すように、支持板４３及びカバー４４を省略し、フレーム４１の間に、プラスチック等からなる看板６８を固定するようにしてもよい。
【００４８】
・第２実施形態では、表示板４２の高さを調節する高さ調節機構、表示板４２の角度を調節する角度調節機構を備えるようにしてもよい。このようにすると、画像表示装置１を設置した位置に応じて、表示板４２の高さや角度を調節することができる。
【００４９】
・投影ユニット１１は、床面に形成された収容部に収容するようにしてもよい。そして、床面の収容部に収容された投影ユニット１１から、投影ビームを照射して、スクリーン５に結像させるようにしてもよい。
【００５０】
・上記実施形態では、表示板３，４２の裏面にスクリーン５を貼るようにしたが、前面に貼着するようにしてもよい。
・上記実施形態では、スクリーン５を半透明のフィルムとしたが、表示板３，４２の裏面（又は上面）をすりガラス状に形成し、その面を投影面とするようにしてもよい。
【図面の簡単な説明】
【００５１】
【図１】第１実施形態の画像表示装置の斜視図。
【図２】画像表示装置の側面図。
【図３】画像表示装置の正面図。
【図４】カバーを開状態にした画像表示装置の側面図。
【図５】投影画像及びポスターを表示した画像表示装置の斜視図。
【図６】投影ユニットの制御装置のブロック図。
【図７】第２実施形態の画像表示装置の斜視図。
【図８】画像表示装置の側面図。
【図９】画像表示装置の要部の分解斜視図。
【図１０】投影画像及びポスターを表示した画像表示装置の斜視図。
【図１１】別例の画像表示装置の斜視図。
【図１２】別例の画像表示装置の斜視図。
【図１３】別例の画像表示装置の斜視図。
【符号の説明】
【００５２】
１…画像表示装置、２，４１，６５…フレーム、３，４２，６０，６６…表示板、５…スクリーン、７…投影領域、９…固定表示部としての印刷物収容部、１３…プロジェクタ
、１４…光学機構、１９…記憶装置としての画像記憶部、３０…投影画像、４１ａ，６５ａ…傾斜部、４１ｂ…垂直部、４，４４，６３，６７…カバー、５０…投影ビーム、１００…床面、１０１…表示物としてのポスター。
【図１】
2009116239.tif 000003
【図２】
2009116239.tif 000004
【図３】
2009116239.tif 000005
【図４】
2009116239.tif 000006
【図５】
2009116239.tif 000007
【図６】
2009116239.tif 000008
【図７】
2009116239.tif 000009
【図８】
2009116239.tif 000010
【図９】
2009116239.tif 000011
【図１０】
2009116239.tif 000012
【図１１】
2009116239.tif 000013
【図１２】
2009116239.tif 000014
【図１３】
2009116239.tif 000015